【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
帳票作成装置及び追跡用データ格納データベースからなる帳票作成システムであって、
前記帳票作成装置は、
帳票テンプレートを作成するときに該帳票テンプレートに対応するユニークなテンプレートＩＤを作成するテンプレートＩＤ作成手段と、
作成された前記帳票テンプレートに前記テンプレートＩＤ埋め込むテンプレートＩＤ埋め込み手段と、
帳票テンプレートに帳票データをオーバレイして帳票を作成するときに前記帳票データから帳票データＩＤを算出する帳票データＩＤ算出手段と、
前記テンプレートＩＤと前記帳票データＩＤとから帳票ＩＤを生成する帳票ＩＤ生成手段と、
前記帳票ＩＤ生成手段により生成された前記帳票ＩＤを、作成された前記帳票に埋め込む帳票ＩＤ埋め込み手段とを有し、
前記追跡用データ格納データベースは、
前記帳票作成装置から前記帳票テンプレートに対応した前記テンプレートＩＤを受け取り、追跡用データの一部として格納する格納手段を有することを特徴とする帳票作成システム。
【請求項２】
帳票作成装置、印刷装置及び追跡用データ格納データベースからなる帳票管理システムであって、
前記帳票作成装置は、
テンプレートＩＤを含む帳票テンプレートに、帳票データＩＤを含む帳票データをオーバレイして作成された、前記テンプレートＩＤと前記帳票データＩＤとから生成された帳票ＩＤを含む帳票を印刷出力するために前記印刷装置へ印刷を指示する印刷指示手段を有し、
前記印刷装置は、
前記帳票作成装置からの印刷指示により前記帳票を印刷出力する印刷出力手段と、
前記印刷出力手段が前記帳票を印刷出力する場合に、前記追跡用データ格納データベースに、前記帳票ＩＤと前記帳票の印刷出力用のデータを含む追跡用データを送信する追跡用データ送信手段とを有し、
前記追跡用データ格納データベースは、
前記追跡用データを格納する格納手段と、
前記追跡用データに含まれる帳票ＩＤからテンプレートＩＤを抽出する抽出手段と、
前記抽出手段により抽出された前記テンプレートＩＤが前記格納手段に格納されているか否かを判断する判断手段と、
前記判断手段により前記テンプレートＩＤが前記格納手段に格納されていると判断された場合には、前記テンプレートＩＤに対応付けて前記追跡用データを前記格納手段に格納し、前記前記判断手段により前記テンプレートＩＤが前記格納手段に格納されていないと判断された場合には、該テンプレートＩＤを新規に前記格納手段に格納するとともに、該テンプレートＩＤに対応付けて前記追跡用データを前記格納手段に格納する格納制御手段とを有することを特徴とする帳票作成システム。
【請求項３】
前記帳票の印刷出力用のデータは、前記帳票に含まれるテキストデータおよび前記帳票に含まれる画像データのうちの少なくとも１つを含むことを特徴とする請求項２に記載の帳票管理システム。
【請求項４】
前記追跡用データ格納データベースは更に、既に前記格納手段に格納されている追跡用データと受信した追跡用データの差分画像を生成する差分画像生成手段を有し、
前記抽出手段は、更に帳票ＩＤから帳票データＩＤを抽出し、
前記判断手段は、前記テンプレートＩＤが前記格納手段に格納されていると判断された場合には更に、前記抽出手段が抽出した前記帳票データＩＤが前記格納手段に格納されているか否かを判断し、
前記格納制御手段は、前記帳票データＩＤが前記格納手段に格納されている場合には、前記差分画像生成手段は、生成した前記差分画像を前記受信した追跡用データの帳票ＩＤと対応付けて前記格納手段に格納することを特徴とする請求項２または３いずれかに記載の帳票管理システム。
【請求項５】
帳票作成装置及び追跡用データ格納データベースからなる帳票作成システムの制御方法であって、
帳票テンプレートを作成するときに該帳票テンプレートに対応するユニークなテンプレートＩＤを作成するテンプレートＩＤ作成工程と、
作成された前記帳票テンプレートに前記テンプレートＩＤ埋め込むテンプレートＩＤ埋め込み工程と、
帳票テンプレートに帳票データをオーバレイして帳票を作成するときに前記帳票データから帳票データＩＤを算出する帳票データＩＤ算出工程と、
前記テンプレートＩＤと前記帳票データＩＤとから帳票ＩＤを生成する帳票ＩＤ生成工程と、
前記帳票ＩＤ生成工程により生成された前記帳票ＩＤを、作成された前記帳票に埋め込む帳票ＩＤ埋め込み工程と、
前記追跡用データ格納データベースが前記帳票作成装置から前記帳票テンプレートに対応した前記テンプレートＩＤを受け取り、追跡用データの一部として格納する格納工程とを有することを特徴とする帳票作成システムの制御方法。
【請求項６】
帳票作成装置、印刷装置及び追跡用データ格納データベースからなる帳票管理システムの制御方法であって、
テンプレートＩＤを含む帳票テンプレートに、帳票データＩＤを含む帳票データをオーバレイして作成された、前記テンプレートＩＤと前記帳票データＩＤとから生成された帳票ＩＤを含む帳票を印刷出力するために前記印刷装置へ印刷を指示する印刷指示工程と、
前記印刷指示により前記帳票を印刷出力する印刷出力工程と、
前記印刷出力工程で前記帳票を印刷出力する場合に、前記追跡用データ格納データベースに、前記帳票ＩＤと前記帳票の印刷出力用のデータを含む追跡用データを送信する追跡用データ送信工程と、
前記追跡用データに含まれる帳票ＩＤからテンプレートＩＤを抽出する抽出工程と、
前記抽出工程において抽出された前記テンプレートＩＤが前記前記追跡用データ格納データベースの格納部に格納されているか否かを判断する判断工程と、
前記判断工程において前記テンプレートＩＤが前記格納部に格納されていると判断された場合には、前記テンプレートＩＤに対応付けて前記追跡用データを前記格納部に格納し、前記前記判断工程において前記テンプレートＩＤが前記格納手段に格納されていないと判断された場合には、該テンプレートＩＤを新規に前記格納部に格納するとともに、該テンプレートＩＤに対応付けて前記追跡用データを前記格納部に格納する格納制御工程とを有することを特徴とする帳票作成システムの制御方法。
【請求項７】
前記帳票の印刷出力用のデータは、前記帳票に含まれるテキストデータおよび前記帳票に含まれる画像データのうちの少なくとも１つを含むことを特徴とする請求項６に記載の帳票管理システムの制御方法。
【請求項８】
既に前記格納部に格納されている追跡用データと受信した追跡用データの差分画像を生成する差分画像生成工程をさらに有し、
前記抽出工程では、更に帳票ＩＤから帳票データＩＤを抽出し、
前記判断工程では、前記テンプレートＩＤが前記格納部に格納されていると判断された場合には更に、前記抽出工程で抽出した前記帳票データＩＤが前記格納部に格納されているか否かを判断し、
前記格納制御工程では、前記帳票データＩＤが前記格納部に格納されている場合には、前記差分画像生成手段は、生成した前記差分画像を前記受信した追跡用データの帳票ＩＤと対応付けて前記格納部に格納することを特徴とする請求項６または７いずれかに記載の帳票管理システムの制御方法。
【請求項９】
請求項５乃至８いずれか１項に記載の帳票作成システムの制御方法をコンピュータに実行させるためのプログラム。
【請求項１０】
請求項９に記載のプログラムを格納したコンピュータで読み取り可能な記憶媒体。
【手続補正２】
【補正対象書類名】明細書
【補正対象項目名】００１５
【補正方法】変更
【補正の内容】
【００１５】
上記の目的を達成するために本発明による帳票作成システムは、帳票作成装置及び追跡用データ格納データベースからなる帳票作成システムであって、前記帳票作成装置は、帳票テンプレートを作成するときに該帳票テンプレートに対応するユニークなテンプレートＩＤを作成するテンプレートＩＤ作成手段と、作成された前記帳票テンプレートに前記テンプレートＩＤ埋め込むテンプレートＩＤ埋め込み手段と、帳票テンプレートに帳票データをオーバレイして帳票を作成するときに前記帳票データから帳票データＩＤを算出する帳票データＩＤ算出手段と、前記テンプレートＩＤと前記帳票データＩＤとから帳票ＩＤを生成する帳票ＩＤ生成手段と、前記帳票ＩＤ生成手段により生成された前記帳票ＩＤを、作成された前記帳票に埋め込む帳票ＩＤ埋め込み手段とを有し、前記追跡用データ格納データベースは、前記帳票作成装置から前記帳票テンプレートに対応した前記テンプレートＩＤを受け取り、追跡用データの一部として格納する格納手段を有することを特徴とする。